(57)【要約】【課題】計２本のロープを備えた安全帯に用いる場合でも、他の装備品等を安全帯に装着するためのスペースを損なうことのない安全帯のロープ巻取器を提供する。【解決手段】各ロープ３，４をそれぞれ巻き取り可能な計２つのリールを巻取器本体１１に一体に備えているので、安全帯１の胴ベルト２に計２個のロープ巻取器を取付けた場合に比べ、取付スペースを大幅に少なくすることができ、工具等の他の装備品を胴ベルト２に装着するためのスペースを十分に確保することができる。【選択図】  図１
2004249062.tif 000002
【特許請求の範囲】
【請求項１】
先端に繋止用フックを有する計２本のロープを備えた安全帯のロープ巻取器において、
前記各ロープをそれぞれ巻き取り可能な計２つのリールを巻取器本体に備えたことを特徴とする安全帯のロープ巻取器。
【請求項２】
前記各リールを互いに同軸状に配置したことを特徴とする請求項１記載の安全帯のロープ巻取器。
【請求項３】
前記各リールを互いに上下方向に配置したことを特徴とする請求項１記載の安全帯のロープ巻取器。
【請求項４】
前記各リールのロープをそれぞれ巻取器本体の左右方向に引き出し可能に構成したことを特徴とする請求項１、２または３記載の安全帯のロープ巻取器。
【発明の詳細な説明】
【０００１】
【発明の属する技術分野】
本発明は、建設工事現場等の高所作業において作業者が使用する安全帯のロープ巻取器に関するものである。
【０００２】
【従来の技術】
一般に、工事現場等の高所で作業を行う場合、作業者には転落防止のための安全帯の着用が義務づけられている。この安全帯は所定長さのロープを有し、ロープの先端に取付けられた繋止用フックを作業現場の親綱等に掛けることにより、万一の転落の際に作業者をロープで支えるようにしている。
【０００３】
ところで、工事現場等では、作業者が作業場所を移動する際、安全帯のロープのフックを一旦親綱から外し、移動先の作業場所で再度フックを親綱に掛けなければならないが、フックの掛け替え中は一時的であってもフックが親綱から外されるため、墜落防止に対する安全性が万全とはいえない。そこで、例えば特許文献１に記載されているように、先端にそれぞれフックを有する計２本のロープを備えた安全帯を使用すれば、フックを掛け替える場合でも、一方のロープのフックを親綱に繋止したまま他方のロープのフックを親綱に掛けた後、一方のロープのフックを親綱から外すことにより、常に何れか一方のロープを親綱に繋止させておくことができる。
【０００４】
【特許文献１】
実開平７−３３３６０号公報
【特許文献２】
特開平８−８９５９２号公報
【０００５】
【発明が解決しようとする課題】
しかしながら、前記従来例では、所定長さの各ロープをそれぞれ安全帯のベルトに連結しているため、使用していない方のロープがループ状に垂れ下がり、垂れ下がったロープが周囲の突起物等に接触して作業や移動の妨げになったり、或いはロープが床面等との接触によって摩耗し、ロープの強度が低下するという問題点があった。
【０００６】
そこで、例えば特許文献２に記載されているようにロープ巻取器を計２つ用いることにより、使用していない方のロープを巻き取るようにすれば、ロープの垂れ下がりを防止することができる。しかしながら、この場合は安全帯のベルトに計２つのロープ巻取器を取付けなければならず、その分だけ工具等の他の装備品をベルトに装着するためのスペースが少なくなり、作業性を損なうという問題点があった。
【０００７】
本発明は前記問題点に鑑みてなされたものであり、その目的とするところは、計２本のロープを備えた安全帯に用いる場合でも、他の装備品等を安全帯に装着するためのスペースを損なうことのない安全帯のロープ巻取器を提供することにある。
【０００８】
【課題を解決するための手段】
本発明は前記目的を達成するために、請求項１では、先端に繋止用フックを有する計２本のロープを備えた安全帯のロープ巻取器において、前記各ロープをそれぞれ巻き取り可能な計２つのリールを巻取器本体に備えている。これにより、計２つのリールが巻取器本体に備わることから、安全帯に計２つのロープ巻取器を取付けた場合に比べて取付スペースが少なくなる。
【０００９】
また、請求項２では、請求項１記載の安全帯のロープ巻取器において、前記各リールを互いに同軸状に配置している。これにより、請求項１の作用に加え、各リールが互いに同軸状に配置されることから、巻取器本体が幅方向に大型化することがない。
【００１０】
また、請求項３では、請求項１記載の安全帯のロープ巻取器において、前記各リールを互いに上下方向に配置している。これにより、請求項１の作用に加え、各リールが互いに上下方向に配置されることから、巻取器本体が幅方向に大型化することがない。
【００１１】
ことを特徴とする請求項１記載の安全帯のロープ巻取器。
【００１２】
また、請求項４では、請求項１、２または３記載の安全帯のロープ巻取器において、前記各リールのロープをそれぞれ巻取器本体の左右方向に引き出し可能に構成している。これにより、請求項１、２または３の作用に加え、作業者が各ロープのフックをそれぞれ両手で操作することが可能となる。
【００１３】
【発明の実施の形態】
図１乃至図３は本発明の一実施形態を示すもので、図１は本発明のロープ巻取器を備えた安全帯の全体図、図２はロープ巻取器の斜視図、図３はその平面断面図である。
【００１４】
同図に示す安全帯１は工事現場等の高所作業において用いられるもので、本発明のロープ巻取器１０を備えたものである。
【００１５】
安全帯１は、作業者に装着される胴ベルト２を有し、胴ベルト２の一端にはバックル２ａが取付られている。胴ベルト２には後述するロープ巻取器１０が取付けられ、ロープ巻取器１０には計２本の第１及び第２のロープ３，４が巻き取られるようになっている。
【００１６】
各ロープ３，４は所定長さ（例えば、１．７ｍ）の平帯状に形成され、例えばポリアリレート繊維からなる。各ロープ３，４の先端にはそれぞれ繋止用のフック５，６が取付けられ、各フック５，６は作業現場の親綱等に連結可能な周知の構成からなる。即ち、フック５，６は、略Ｕ字状に湾曲したフック本体５ａ，６ａと、フック本体５ａ，６ａの開放部分を開閉する可動部５ｂ，６ｂとを有し、可動部５ｂ，６ｂは図示しないロック機構によってロックされ、可動部５ｂ，６ｂの操作部５ｃ，６ｃを操作すると、可動部５ｂ，６ｂのロックが解除されるようになっている。また、胴ベルト２には各フック５，６を収納可能な計２つの収納袋２ｂが設けられ、フック５，６を親綱から外しているときは収納袋２ｂに収納するようになっている。
【００１７】
ロープ巻取器１０は、巻取器本体１１内に計２つの第１及び第２のリール１２，１３を備え、第１のリール１２には第１のロープ３が巻き取られ、第２のリール１３には第２のロープ４が巻き取られるようになっている。各リール１２，１３は互いに巻取器本体１１の前後方向に配置され、共通の回転軸１４に同軸状に取付けられている。巻取器本体１１には各ロープ３，４を挿通する孔１１ａが幅方向一方の側面及び他方の側面にそれぞれ設けられ、第１のロープ３は巻取器本体１１の左側に引き出され、第２のロープ４は巻取器本体１１の右側に引き出されるようになっている。各リール１２，１３は図示しないスプリングによってそれぞれ巻き取り方向に付勢され、第１のロープ３または第２のロープ４を巻取器本体１１から引き出すと、図示しないストッパ機構によってロープ３，４が任意の引き出し位置で保持されるようになっている。巻取器本体１１の下面には計２つの操作部１１ｂ，１１ｃが設けられ、一方の操作部１１ｂを押圧操作すると、前記ストッパ機構が解除されて第１のリール１２が前記スプリングによって巻き取り方向に回転し、第１のロープ３が第１のリール１２に巻き取られるようになっている。また、他方の操作部１１ｃを押圧操作すると、前述と同様に第２のロープ４が第２のリール１３に巻き取られるようになっている。
【００１８】
前記安全帯１は、第１のロープ３のフック５または第２のロープ４のフック６を作業現場の親綱等に掛けることによって使用され、作業者が作業場所を移動する際、例えば第１のロープ３が親綱に連結されている場合は、第１のロープ３のフック５を親綱に繋止させたまま第２のロープ４のフック６を親綱に掛けた後、第１のロープ３のフック５を親綱から外すことにより、常に何れか一方のロープ３，４を親綱に繋止させておくことができる。また、例えば第１のロープ３を親綱に連結している際、使用していない方の第２のロープ４をロープ巻取器１０に巻き取っておくことにより、第２のロープ４が安全帯１からループ状に垂れ下がることがなく、垂れ下がったロープが周囲の突起物等に接触して作業や移動の妨げになったり、或いはロープが床面等との接触によって摩耗してロープの強度が低下するといった不具合を生ずることがない。
【００１９】
本実施形態のロープ巻取器１０では、各ロープ３，４をそれぞれ巻き取り可能な計２つのリール１２，１３を巻取器本体１１に一体に備えているので、安全帯１の胴ベルト２に計２個のロープ巻取器を取付けた場合に比べ、幅方向の取付スペースを大幅に少なくすることができる。従って、工具等の他の装備品を胴ベルト２に装着するためのスペースを十分に確保することができる。
【００２０】
この場合、各リール１２，１３を巻取器本体１１の前後方向に配置して互いに同軸状に設けたので、巻取器本体１１が幅方向に大型化することがなく、幅方向の取付スペースをより一層小さくすることができる。
【００２１】
また、各リール１２，１３のロープ３，４をそれぞれ巻取器本体１１の左右方向に引き出し可能に構成したので、作業者が各ロープ３，４のフック５，６をそれぞれ両手で操作することができ、例えば左手で第１のロープ３のフック５を親綱に掛けて、右手で第２のロープ４のフック６を外すなど、ロープの掛け替え作業を極めて容易に行うことができる。
【００２２】
尚、前記実施形態では、各ロープ３，４をそれぞれ巻取器本体１１の左右方向に引き出し可能に構成したものを示したが、同一方向に引き出すように構成したものであってもよい。
【００２３】
図４及び図５は本発明の他の実施形態を示すもので、図４はロープ巻取器の斜視図、図５はその正面断面図である。尚、前記実施形態と同等の構成部分には同一の符号を付して示す。
【００２４】
本実施形態のロープ巻取器２０は、巻取器本体２１内に計２つの第１及び第２のリール２２，２３を備え、第１のリール２２には第１のロープ３が巻き取られ、第２のリール２３には第２のロープ４が巻き取られるようになっている。各リール２２，２３は互いに巻取器本体２１の上下方向に配置され、計２つの回転軸２４，２５にそれぞれ取付けられている。巻取器本体２１には各ロープ３，４を挿通する孔２１ａが幅方向一方の側面及び他方の側面にそれぞれ設けられ、第１のロープ３は巻取器本体２１の左側に引き出され、第２のロープ４は巻取器本体２１の右側に引き出されるようになっている。また、各リール２２，２３は図示しないスプリングによってそれぞれ巻き取り方向に付勢されている。
【００２５】
本実施形態のロープ巻取器２０では、前記実施形態と同様、各ロープ３，４をそれぞれ巻き取り可能な計２つのリール２２，２３を巻取器本体２１に一体に備えているので、安全帯１の胴ベルト２に計２個のロープ巻取器を取付けた場合に比べ、幅方向の取付スペースを大幅に少なくすることができる。
【００２６】
この場合、各リール２２，２３を巻取器本体２１の上下方向に配置したので、巻取器本体２１が幅方向に大型化することがなく、幅方向の取付スペースをより一層小さくすることができる。
【００２７】
尚、前記実施形態では、各リール２２，２３を互いに巻取器本体２１の上下方向に配置したものを示したが、巻取器本体２１の左右方向に配置するようにしてもよい。
【００２８】
【発明の効果】
以上説明したように、請求項１の安全帯のロープ巻取器によれば、計２本のロープを備えた安全帯に用いる場合でも、他の装備品等を安全帯のベルトに装着するためのスペースを十分に確保することができるので、作業性を損なうことがないという利点がある。
【００２９】
また、請求項２または３の安全帯のロープ巻取器によれば、請求項１の効果に加え、巻取器本体が幅方向に大型化することがないので、幅方向の取付スペースをより一層小さくすることができる。
【００３０】
また、請求項４の安全帯のロープ巻取器によれば、請求項１、２または３の効果に加え、作業者が各ロープのフックをそれぞれ両手で操作することができるので、ロープの掛け替え作業を極めて容易に行うことができる。
【図面の簡単な説明】
【図１】本発明の一実施形態を示すロープ巻取器を備えた安全帯の全体図
【図２】ロープ巻取器の斜視図
【図３】ロープ巻取器の平面断面図
【図４】本発明の他の実施形態を示すロープ巻取器の斜視図
【図５】ロープ巻取器の正面断面図
【符号の説明】
１…安全帯、３…第１のロープ、４…第２のロープ、５，６…フック、１０…ロープ巻取器、１１…巻取器本体、１２…第１のリール、１３…第２のリール、１２…ロープ巻取器、２１…巻取器本体、２２…第１のリール、２３…第２のリール。
【図１】
2004249062.tif 000003
【図２】
2004249062.tif 000004
【図３】
2004249062.tif 000005
【図４】
2004249062.tif 000006
【図５】
2004249062.tif 000007